(57)【要約】【課題】光アダプタにラッチレバー片が付いていてもキャップの装着及び離脱動作がスムーズに行えると同時に、防塵機能に優れ、しかも分離金型による製造が簡単且つ正確（金型の抜け機能の向上）に行える光アダプタ用キャップ及びその製造装置を提供する。【解決手段】キャップＫの筒胴部１とフランジ部２との接続部分における対称位置において、光アダプタ２０の内側に対向形成した光コネクタプラグ係止用の撓曲自在なラッチレバー片２１の先端を各嵌挿する凹部４を形成し、前記筒胴部１の外壁の対称位置には、前記ラッチレバー片２１の先端に互いに内側に向けて形成した鉤状の爪部２１ａを係架する引っ掛け部５を形成し、前記凹部４の外側内壁には当該引っ掛け部５に対向して外向テーパ面部４ａが形成されている。【選択図】図１
2019095498.tif 000002
【特許請求の範囲】
【請求項１】
光アダプタ内に挿入される筒胴部と、光アダプタの開口縁に係止されるよう前記筒胴部の一端に連設されたフランジ部と、該フランジ部の外面に連設された摘み部とを備え、前記筒胴部とフランジ部との接続部分における対称位置において、光アダプタの内側に対向形成された光コネクタプラグ係止用の撓曲自在なラッチレバー片の先端を各嵌挿する凹部が形成され、前記筒胴部の外壁の左右対称位置には、前記ラッチレバー片の先端に互いに内側に向けて形成されている鉤状の爪部を係架させる引っ掛け部が形成され、且つ前記凹部の外側内壁には当該引っ掛け部に対向して外向テーパ面部が形成されていることを特徴とする光アダプタ用キャップ。
【請求項２】
前記ラッチレバー片は、当該ラッチレバー片先端の爪部が前記凹部の外向テーパ面部の外側内壁に沿って斜め方向にスライドすることで抜脱可能としたことを特徴とする請求項１記載の光アダプタ用キャップ。
【請求項３】
前記凹部の内底における厚さ方向の幅は、前記光アダプタのラッチレバー片の厚幅に対応していることを特徴とする請求項１または２記載の光アダプタ用キャップ。
【請求項４】
前記凹部の横幅は、前記光アダプタのラッチレバー片の横幅に対応していることを特徴とする請求項１乃至３のいずれか記載の光アダプタ用キャップ。
【請求項５】
前記引っ掛け部は、前記凹部の外向テーパ面部に対向する急峻な後方傾斜面と、筒胴部先端側に向けて形成された緩やかな前方傾斜面とによって断面略への字形の外方膨出状となって形成されていることを特徴とする請求項１記載の光アダプタ用キャップ。
【請求項６】
前記摘み部は、フランジ部から外方に向けてラッパ状・スカート状・ノズル状・円錐状、もしくは矩形筒枠状のいずれかの形状となって形成されていることを特徴とする請求項１記載の光アダプタ用キャップ。
【請求項７】
光アダプタ内に挿入される筒胴部と、前記光アダプタの開口縁に係止されるよう筒胴部の一端に連設されたフランジ部と、該フランジ部の外面に連設された摘み部とを成形するための射出成形用の金型を用いた光アダプタ用キャップの製造装置であって、前記金型は、前記筒胴部の内部を成形する筒胴部内型と、前記摘み部の内部を成形する摘み部内型と、これら摘み部及びフランジ部の外部を成形する互いに分離可能な左右一対の摘み部・フランジ部外型と、前記筒胴部の外部を成形する互いに分離可能な左右一対の筒胴部外型とを備え、前記筒胴部外型の先端には、前記筒胴部とフランジ部との接続部分における対称位置において、前記光アダプタの内側に対向形成された光コネクタプラグ係止用の撓曲自在なラッチレバー片の先端を各嵌挿する凹部が成形されるよう突起状金型が形成され、前記筒胴部外型の内側には、前記筒胴部の外壁の対称位置にラッチレバー片の先端に互いに内側に向けて形成されている鉤状の爪部を係架させる引っ掛け部が成形されるよう湾曲凹部を備え、前記突起状金型の外壁側は当該湾曲凹部に対応して先端に向けて内向テーパ面部が形成されていることを特徴とした光アダプタ用キャップの製造装置。
【請求項８】
前記突起状金型は、前記光アダプタの内側に対向形成されたラッチレバー片に対応すべく前記筒胴部外型先端の対称位置に形成されていることを特徴とする請求項７記載の光アダプタ用キャップの製造装置。
【発明の詳細な説明】
【技術分野】
【０００１】
本発明は、光アダプタに光コネクタプラグを差し込み接続していない時（光アダプタの不使用時等）に光アダプタの開口部より塵芥などの侵入を防ぐ防塵機能及び当該光アダプタ内の係止部などに対する外部からの損壊、変形などを防ぐ防護機能を兼ね備えた光アダプタ用キャップ及びその製造装置に関する。
【背景技術】
【０００２】
従来、光アダプタ２０は、図２５乃至図２７、及び図３５乃至図３７に示すように、ＭＰＯ型コネクタプラグのフェルールの光ファイバテープ心線を相互接続できるように、当該光アダプタ２０の両端に、光学軸が一致するようにして、一方の挿入用開口端と、他方の挿入用開口端とをそれぞれ備え、両挿入用開口端それぞれの内側には、挿着されたＭＰＯ型コネクタプラグを係止するための、先端に互いに内側に向けて形成された鉤状の爪部２１ａを備えた撓曲自在なラッチレバー片２１を対向配置させてある。
【０００３】
而して、前記光アダプタ２０に光コネクタプラグ（図示せず）を差し込み接続していない時（光アダプタ２０の不使用時等）には、光アダプタ２０の開口端より塵芥などの侵入を防ぐ防塵機能及び当該光アダプタ２０内の係止部などに対する外部からの損壊、変形などを防ぐために、光アダプタ用キャップＫが取付けられる。
【０００４】
具体的には、光アダプタ用キャップＫは、図１８乃至図２７に示すように、光アダプタ２０の一方の挿入用開口端に挿入される略矩形状の筒胴部１と、光アダプタ２０の一方の挿入用開口端の開口縁に係止されるよう前記筒胴部１の一端に連設された横長略円形板状のフランジ部２と、該フランジ部２の外面に連設された摘み部３とを備えている。
【０００５】
図１８、図１９、図２１、図２３、及び図２５乃至図２７に示すように、前記筒胴部１の左右外壁面には長手方向に沿って溝部１ａが形成され、該溝部１ａに接続するフランジ部２の左右対称位置には正面視略コ字形凹状に切欠した欠落部５０が形成されている。そして、この欠落部５０寄り側における溝部１ａには、前記ラッチレバー片２１の先端に互いに内側に向けて形成されている鉤状の爪部２１ａを係架させるための引っ掛け部５が一体形成されている。この引っ掛け部５は、前記欠落部５０側に向けて形成された急峻な後方傾斜面５ａと、筒胴部１先端側に向けて形成された緩やかな前方傾斜面５ｂとによって断面略への字形の外方膨出状となって形成されている。
【０００６】
図２５乃至図２７に示すように、前記キャップＫを前記光アダプタ２０の一方の挿入用開口端へ差し込んだ際には、前記溝部１ａに形成された引っ掛け部５にラッチレバー片２１の爪部２１ａが係架される。このとき、該爪部２１ａは前記フランジ部２に設けられた欠落部５０に嵌って収容保持される。
【０００７】
また、従来の光アダプタ用キャップＫの他の例としては、図２８、図３１、図３３に示すように、前記溝部１ａに引っ掛け部５が形成されておらずストレートな溝に形成されているとともに、該溝部１ａに接続するフランジ部２の左右対称位置には正面視略矩形状に窪ませた凹部４０が形成されているものもある。
【０００８】
本例のキャップＫも、前記同様、前記光アダプタ２０の開口縁に係止されるよう筒胴部１の一端にフランジ部２が形成され、該フランジ部２の外面には摘み部３を備えている。また、図３５乃至図３７に示すように、前記凹部４０の外側内壁には外向テーパ面部４０ａが形成されている。
【０００９】
そして、前記キャップＫを前記光アダプタ２０の一方の挿入用開口端へ差し込んだ際には、前記ラッチレバー片２１の爪部２１ａが前記溝部１ａに沿って直進摺動し当該凹部４０に嵌って係止される。
【００１０】
尚、前記した第１番目（段落番号「０００４」乃至「０００６」参照）及び第２番目（段落番号「０００７」乃至「０００９」参照）のキャップＫにおいて、符号１０は、フランジ部２の幅広な矩形板状のベース部（摘み部３のベース部）である。
【先行技術文献】
【特許文献】
【００１１】
【特許文献１】特になし
【発明の概要】
【発明が解決しようとする課題】
【００１２】
しかしながら、前記した従来における第１番目のキャップＫの構造例として挙げられている欠落部５０はフランジ部２の外壁が切欠状となって開放されているため、前記光アダプタ２０のラッチレバー片２１の爪部２１ａが露出した状態となることから、当該光アダプタ２０の一方の挿入用開口端をキャップＫで閉蓋しても、防塵機能を有せず、外部から光アダプタ２０内へ容易に塵芥などが侵入してしまうという欠陥がある。
【００１３】
また、前記した従来における第２番目のキャップＫの構造例として挙げられている正面視略矩形状に窪ませた凹部４０は、前記欠落部５０の場合とは逆に、防塵機能は備えているが、前記光アダプタ２０のラッチレバー片２１の爪部２１ａを係架するための引っ掛け部５が形成されていないことから、当該光アダプタ２０の一方の挿入用開口端をキャップＫで閉蓋しても容易に抜け易いという欠陥がある。
【００１４】
一方、前記光アダプタ用キャップＫの製造装置において、互いに分離可能な射出成形用の金型を使って前記キャップＫの凹部４０等を成形するが、前記ラッチレバー片２１の爪部２１ａを係架するための引っ掛け部５を溝部１ａ内に形成する場合は、この引っ掛け部５との衝突を避けるために、成形後左右一対の金型を真下ではなく斜め下方向にスライドして分離する必要がある。しかるに、前記キャップＫの凹部４０は正面視略矩形状に窪ませて形成されていることから、左右金型を真下に向って分離する以外に手段はなく、このため当該凹部４０の外壁が金型の内側からの押圧力によって破断してしまうおそれがある。
【００１５】
したがって、前記した従来の正面視略矩形状の凹部４０を備えたフランジ部２とラッチレバー片２１の引っ掛け部５を備えた筒胴部１から成るキャップＫを分離金型を使って成形しても、成形後当該金型の分離（抜け）は殆ど不可能であり、その点、キャップＫの製造装置として改良が求められている。
【００１６】
そこで、本発明は、叙上のような従来存した諸事情に鑑み案出されたもので、光アダプタにラッチレバー片が付いていてもキャップの「抜け」動作がスムーズに行えると同時に、防塵機能に優れ、しかも分離金型による製造が簡単（金型の抜け機能の向上）に行える光アダプタ用キャップ及びその製造装置を提供することを目的とする。
【課題を解決するための手段】
【００１７】
上述した課題を解決するために、本発明に係る光アダプタ用キャップにあっては、光アダプタ内に挿入される筒胴部と、光アダプタの開口縁に係止されるよう前記筒胴部の一端に連設されたフランジ部と、該フランジ部の外面に連設された摘み部とを備え、前記筒胴部とフランジ部との接続部分における対称位置において、光アダプタの内側に対向形成された光コネクタプラグ係止用の撓曲自在なラッチレバー片の先端を各嵌挿する凹部が形成され、前記筒胴部の外壁の左右対称位置には、前記ラッチレバー片の先端に互いに内側に向けて形成されている鉤状の爪部を係架させる引っ掛け部が形成され、且つ前記凹部の外側内壁には当該引っ掛け部に対向して外向テーパ面部が形成されていることを特徴とする。
【００１８】
前記ラッチレバー片は、当該ラッチレバー片先端の爪部が前記凹部の外向テーパ面部の外側内壁に沿って斜め方向にスライドすることで抜脱可能としたことを特徴とする。
【００１９】
前記凹部の内底における厚さ方向の幅は、前記光アダプタのラッチレバー片の厚幅に対応していることを特徴とする。
【００２０】
前記凹部の横幅は、前記光アダプタのラッチレバー片の横幅に対応していることを特徴とする。
【００２１】
前記引っ掛け部は、前記凹部の外向テーパ面部に対向する急峻な後方傾斜面と、筒胴部先端側に向けて形成された緩やかな前方傾斜面とによって断面略への字形の外方膨出状となって形成されていることを特徴とする。
【００２２】
前記摘み部は、フランジ部から外方に向けてラッパ状・スカート状・ノズル状・円錐状、もしくは矩形筒枠状のいずれかの形状となって形成されていることを特徴とする。
【００２３】
一方、本発明に係る光アダプタ用キャップの製造装置にあっては、光アダプタ内に挿入される筒胴部と、前記光アダプタの開口縁に係止されるよう筒胴部の一端に連設されたフランジ部と、該フランジ部の外面に連設された摘み部とを成形するための射出成形用の金型を用いた光アダプタ用キャップの製造装置であって、前記金型は、前記筒胴部の内部を成形する筒胴部内型と、前記摘み部の内部を成形する摘み部内型と、これら摘み部及びフランジ部の外部を成形する互いに分離可能な左右一対の摘み部・フランジ部外型と、前記筒胴部の外部を成形する互いに分離可能な左右一対の筒胴部外型とを備え、前記筒胴部外型の先端には、前記筒胴部とフランジ部との接続部分における対称位置において、前記光アダプタの内側に対向形成された光コネクタプラグ係止用の撓曲自在なラッチレバー片の先端を各嵌挿する凹部が成形されるよう突起状金型が形成され、前記筒胴部外型の内側には、前記筒胴部の外壁の対称位置にラッチレバー片の先端に互いに内側に向けて形成されている鉤状の爪部を係架させる引っ掛け部が成形されるよう湾曲凹部を備え、前記突起状金型の外壁側は当該湾曲凹部に対応して先端に向けて内向テーパ面部が形成されていることを特徴とする。
【００２４】
前記突起状金型は、前記光アダプタの内側に対向形成されたラッチレバー片に対応すべく前記筒胴部外型先端の対称位置に形成されていることを特徴とする。
【発明の効果】
【００２５】
本発明によれば、光アダプタに対する防塵及び防護機能に優れ、また射出成形用の分離金型による製造も簡単且つ確実（金型の「抜け」機能の向上）に行えるものである。
【００２６】
すなわち、本発明に係る光アダプタ用キャップは、光アダプタ内に挿入される筒胴部と、光アダプタの開口縁に係止されるよう前記筒胴部の一端に連設されたフランジ部と、該フランジ部の外面に連設された摘み部とを備え、前記筒胴部とフランジ部との接続部分における対称位置において、光アダプタの内側に対向形成された光コネクタプラグ係止用の撓曲自在なラッチレバー片の先端を各嵌挿する凹部が形成され、前記筒胴部の外壁の左右対称位置には、前記ラッチレバー片の先端に互いに内側に向けて形成されている鉤状の爪部を係架させる引っ掛け部が形成され、且つ前記凹部の外側内壁には当該引っ掛け部に対向して外向テーパ面部が形成されていることを特徴とするので、光アダプタからのキャップの分離「抜け」動作がスムーズに行えると同時に、防塵機能に優れたキャップとなる。しかも、光アダプタのキャップによる閉蓋時においては、ラッチレバー片先端の爪部は凹部内に嵌挿され露出しないことから、当該ラッチレバー片の変形・損傷を未然に防ぐこともできる。
【００２７】
前記ラッチレバー片は、当該ラッチレバー片先端の爪部が前記凹部の外向テーパ面部の外側内壁に沿って斜め方向にスライドすることで抜脱可能としたことを特徴とするので、光アダプタからのキャップの分離「抜け」動作が凹部の外壁を損傷させることなくスムーズに行える。したがって、このような分離金型を使ってのキャップ成形時においては、凹部の外壁が金型の内側からの押圧力によって破断することなく簡単且つ確実に当該金型を分離することができる。
【００２８】
前記凹部の内底における厚さ方向の幅は、前記光アダプタのラッチレバー片の厚幅に対応していることを特徴としているので、前記光アダプタの凹部とラッチレバー片との厚さ方向の隙間が生じることがなくなることから、防塵機能に優れたキャップとなる。
【００２９】
前記凹部の横幅は、前記光アダプタのラッチレバー片の横幅に対応したことを特徴としているので、当該凹部とラッチレバー片との横幅方向の隙間が生じることがなくなることから、防塵機能に優れたキャップとなる。
【００３０】
前記引っ掛け部は、前記凹部の外向テーパ面部に対向する急峻な後方傾斜面と、筒胴部先端側に向けて形成された緩やかな前方傾斜面とによって断面略への字形の外方膨出状となって形成されていることを特徴としているので、前記ラッチレバー片先端の爪部が引っ掛け部に引っかかっている分、抜け難い構造となる。因みに、例えば樹脂バネの反発力で光アダプタ内に止まっている構造だと熱による変形でキャップの保持力が弱くなるが、本発明の構造では、環境の影響を受け難いものとなる。
【００３１】
前記摘み部は、フランジ部から外方に向けてラッパ状・スカート状・ノズル状・円錐状、もしくは矩形筒枠状のいずれかの形状となって形成されていることを特徴としているので、前記光アダプタからのキャップの引き抜き操作が容易に行える。
【００３２】
一方、本発明に係る光アダプタ用キャップの製造装置にあっては、光アダプタ内に挿入される筒胴部と、前記光アダプタの開口縁に係止されるよう筒胴部の一端に連設されたフランジ部と、該フランジ部の外面に連設された摘み部とを成形するための射出成形用の金型を用いた光アダプタ用キャップの製造装置であって、前記金型は、前記筒胴部の内部を成形する筒胴部内型と、前記摘み部の内部を成形する摘み部内型と、これら摘み部及びフランジ部の外部を成形する互いに分離可能な左右一対の摘み部・フランジ部外型と、前記筒胴部の外部を成形する互いに分離可能な左右一対の筒胴部外型とを備え、前記筒胴部外型の先端には、前記筒胴部とフランジ部との接続部分における対称位置において、前記光アダプタの内側に対向形成された光コネクタプラグ係止用の撓曲自在なラッチレバー片の先端を各嵌挿する凹部が成形されるよう突起状金型が形成され、前記筒胴部外型の内側には、前記筒胴部の外壁の対称位置にラッチレバー片の先端に互いに内側に向けて形成されている鉤状の爪部を係架させる引っ掛け部が成形されるよう湾曲凹部を備え、前記突起状金型の外壁側は当該湾曲凹部に対応して先端に向けて内向テーパ面部が形成されていることを特徴とするので、プラスチック（樹脂）が分離金型内で冷却固化された後に、左右一対の筒胴部外型を分離する際には、内向テーパ面部に沿って左右一対の筒胴部外型を斜め下方にスライドすることで、成形後のキャップを破断することがなく、容易且つ確実に当該金型を分離「抜く」ことができる。
【００３３】
前記突起状金型は、前記光アダプタの内側に対向形成されたラッチレバー片に対応すべく前記筒胴部外型先端の対称位置に形成されていることを特徴としているので、前記キャップを前記光コネクタの開口端に装着する際前記ラッチレバー片の爪部が干渉せずに無理なく挿入できる。
【図面の簡単な説明】
【００３４】
【図１】本発明を実施するための一形態を示す光アダプタ用キャップの斜視図である。
【図２】同じく側面図である。
【図３】同じく平面図である。
【図４】同じく正面図である。
【図５】同じく背面図である。
【図６】図４のＡ−Ａ断面図である。
【図７】図５のＢ−Ｂ断面図である。
【図８】キャップをアダプタ内へ差し込む前の断面図（開蓋時）である。
【図９】同じく差し込み途中の断面図である。
【図１０】同じく差し込み後の断面図（閉蓋時）である。
【図１１】金型による光アダプタ用キャップの成形時の平断面図である。
【図１２】金型の離型時の平断面図である。
【図１３】本発明の摘みの形状が異なる場合の変形例を示す斜視図である。
【図１４】同じく側面図である。
【図１５】同じく平面図である。
【図１６】同じく正面図である。
【図１７】同じく背面図である。
【図１８】従来例における光アダプタ用キャップの斜視図である。
【図１９】同じく側面図である。
【図２０】同じく平面図である。
【図２１】同じく正面図である。
【図２２】同じく背面図である。
【図２３】図２１のＣ−Ｃ断面図である。
【図２４】図２２のＤ−Ｄ断面図である。
【図２５】キャップを光アダプタ内へ差し込む前の断面図（開蓋時）である。
【図２６】同じく差し込み途中の断面図である。
【図２７】同じく差し込み後の断面図（閉蓋時）である。
【図２８】更に他の従来例を示す斜視図である。
【図２９】同じく側面図である。
【図３０】同じく平面図である。
【図３１】同じく正面図である。
【図３２】同じく背面図である。
【図３３】図３１のＥ−Ｅ断面図である。
【図３４】図３２のＦ−Ｆ断面図である。
【図３５】従来例のキャップを光アダプタ内へ差し込む前の断面図（開蓋時）である。
【図３６】同じく差し込み途中の断面図である。
【図３７】同じく差し込み後の断面図（閉蓋時）である。
【発明を実施するための形態】
【００３５】
以下、図面を参照して本発明に係る光アダプタ用キャップＫ（以下、キャップＫと略称する）の実施の一形態を詳細に説明する。
【００３６】
本実施形態におけるキャップＫは、後述する射出成形用の閉じた金型（後述の図１１、図１２参照）に例えば加熱可塑化したプラスチック（樹脂）を注入することによって一体成形されるもので、図１乃至図７に示すように、光アダプタ２０の矩形開口端に挿入される略矩形状の筒胴部１と、光アダプタ２０の開口縁に係止されるよう前記筒胴部１の一端に連設された略横長円形板状のフランジ部２と、該フランジ部２の外面にラッパ状・スカート状・ノズル状・円錐状のいずれかの形状となって連設された摘み部３とを備えている。
【００３７】
なお、図中、符号１０は、前記キャップＫのフランジ部２の幅広な矩形板状のベース部（摘み部３のベース部）であり、光アダプタ２０の外形に略対応している。また、図中、符号１１は、前記キャップＫの筒胴部１の上下両面において互いに幅方向に沿って突設した前後一対のガイド突部であり、当該筒胴部１の光アダプタ２０内壁に対する接触面積を減らして摺動摩擦を軽減し、前記キャップＫの閉蓋時には前記光アダプタ２０に対する筒胴部１のガタ付きのない保持機能を維持する。
【００３８】
図１、図４、及び図６に示すように、前記キャップＫの筒胴部１の左右外壁面には長手方向に沿って溝部１ａが形成され、該溝部１ａに接続するフランジ部２前面の左右対称位置には正面視略コ字状に抉られた凹部４が形成されている。この凹部４は、前記光アダプタ２０の光コネクタプラグの挿入開口端側へのキャップＫによる閉蓋時に、当該光アダプタ２０の内側に対向形成された光コネクタプラグ係止用の撓曲自在なラッチレバー片２１の先端（後述する鉤状の爪部２１ａ）を各嵌挿するようになっている（図８乃至図１０参照）。
【００３９】
また、図１、図３、図４、図６、及び図８乃至図１０に示すように、前記凹部４寄り側における溝部１ａには、ラッチレバー片２１の先端に互いに内側に向けて形成されている前記した鉤状の爪部２１ａを係架させるための引っ掛け部５が一体形成されている。この引っ掛け部５は、前記凹部４側に向けて形成された急峻な後方傾斜面５ａと、筒胴部１先端側に向けて形成された緩やかな前方傾斜面５ｂとによって断面略への字形の外方膨出状となって形成されている。
【００４０】
さらに、図６、及び図８乃至図１０に示すように、前記凹部４の外側内壁は、外向テーパ面部４ａとなって形成されており、その面は前記溝部１ａに形成された引っ掛け部５の前記後方傾斜面５ａに対向している。これにより、前記ラッチレバー片２１は、当該ラッチレバー片２１先端の爪部２１ａが前記凹部４の外向テーパ面部４ａの外側内壁に沿って斜め外方向にスライドすることで抜脱可能としている。
【００４１】
前記凹部４の内底部における厚さ方向の幅は、前記光アダプタ２０のラッチレバー片２１の厚幅に対応し、さらに、前記凹部４の横幅は、前記光アダプタ２０のラッチレバー片２１の横幅にそれぞれ対応している（図１０参照）。これにより、前記光アダプタ２０の光コネクタプラグの挿入開口端側へのキャップＫによる閉蓋時には、前記ラッチレバー片２１とフランジ部２との間に何等の隙間が生じないことから、前記光アダプタ２０内部への塵芥等の侵入を防ぐ防塵機能が発揮される。
【００４２】
次に、以上のように構成された形態についての使用の一例について説明する。
【００４３】
前記した光アダプタ２０の具体的な構成としては、図８乃至図１０に示すように、ＭＰＯ型コネクタプラグのフェルールの光ファイバテープ心線を相互接続できるように、当該光アダプタ２０の両端に、光学軸が一致するようにして、一方の挿入用開口端と、他方の挿入用開口端とをそれぞれ備え、両挿入用開口端それぞれの内側には、挿着されたＭＰＯ型コネクタプラグを係止するための、先端に互いに内側に向けて形成された鉤状の爪部２１ａを備えた撓曲自在なラッチレバー片２１を対向配置させてある。
【００４４】
図８に示すように、前記したキャップＫを光アダプタ２０の一方の挿入用開口端へ差し込む前の状態（開蓋時）から、図９に示すように、差し込み途中において、前記ラッチレバー片２１は、当該ラッチレバー片２１先端の爪部２１ａが前記キャップＫの筒胴部１外壁に沿って摺動してゆき、前記筒胴部１の外側に形成された引っ掛け部５の緩やかな前方傾斜面５ｂを乗り上げ、前記ラッチレバー片２１自体の弾性力によって急峻な後方傾斜面５ａに係架されると同時に、図１０に示すように、前記ラッチレバー片２１の爪部２１ａは外向テーパ面部４ａの外側内壁に沿って斜め内方向にスライドすることで前記凹部４内に嵌合し前記光アダプタ２０の一方の開口端は閉蓋状態となる。
【００４５】
前記キャップＫを前記光アダプタ２０の一方の挿入用開口端から抜き出す場合は、強制的にキャップＫを引き抜くと、前記光アダプタ２０のラッチレバー片２１先端の爪部２１ａが前記凹部４の外向テーパ面部４ａの外側内壁に沿って斜め外方向にスライドすると同時に当該爪部２１ａが急峻な後方傾斜面５ａを乗り上げることでキャップＫは容易に抜脱される。
【００４６】
次に、射出成形用の金型を使用している前記キャップＫの製造装置について説明する。
【００４７】
この金型は、図１１及び図１２に示すように、前記キャップＫの前部側に位置する筒胴部１の内部を成形する筒胴部内型１３ｂと、前記キャップＫの後部側に位置する摘み部３の内部を成形する摘み部内型１３ａと、これら摘み部３及びフランジ部２の外部を成形する互いに分離可能な左右一対の摘み部・フランジ部外型１２と、前記キャップＫの筒胴部１の外部を成形する互いに分離可能な左右一対の筒胴部外型１４とを備えている。
【００４８】
また、前記した筒胴部外型１４の先端には突起状金型１５が一体形成され、当該筒胴部外型１４の内側には湾曲凹部１６を備えている。
【００４９】
先ず、図１１に示すように、上下一対の筒胴部内型１３ｂ、摘み部内型１３ａ、左右一対の摘み部・フランジ部外型１２、左右一対の筒胴部外型１４相互を所定の隙間を隔てた状態で閉じておき、この閉じた金型のキャビティ内に高圧で加熱可塑化したプラスチック（樹脂）を注入する。プラスチック（樹脂）が金型内で冷却固化された後に当該金型を分離する。
【００５０】
これら金型を分離する際には、図１２に示すように、突起状金型１５の外壁側は湾曲凹部１６に対応して先端に向けて内向テーパ面部１５ａとなって形成されているため、左右一対の筒胴部外型１４を斜め（矢印方向）にスライドすることで容易に抜ける。
【００５１】
これにより、前記キャップＫの筒胴部１とフランジ部２との接続部分における左右対称位置において、光アダプタ２０の内側に対向形成された光コネクタプラグ係止用の撓曲自在なラッチレバー片２１の先端を各嵌挿する凹部４が成形される。と同時に、突起状金型１５の内向テーパ面部１５ａによって、前記凹部４の外側内壁には外向テーパ面部４ａが形成される。また、前記キャップＫの筒胴部１の外壁の左右対称位置には、ラッチレバー片２１の先端に互いに内側に向けて形成されている鉤状の爪部２１ａを係架させる引っ掛け部５が一体形成される。
【００５２】
次に、本実施形態におけるキャップＫの摘み部の形状が異なる場合の変形例について説明する。なお、上記した本実施形態の構成と同じ部分には同じ符号を付すことで、その詳細な説明は省略する。すなわち、本変形例では、図１３乃至図１７に示すように、前記キャップＫの摘み部３０は、前記キャップＫの筒胴部１後端のフランジ部２のベース部１０から後方に向けて幅径の小さな矩形連結部３０ａを介して連設され、全体が略矩形筒枠状となって形成されている。
【００５３】
以上に説明したように、本実施形態及びその変形例において、前記光アダプタ２０にラッチレバー片２１が付いていても前記キャップＫの装着及び抜脱動作がスムーズに行えると同時に、防塵機能に優れ、しかも射出成形用の分離金型による製造が簡単且つ正確（金型の抜け機能の向上）に行える。
【符号の説明】
【００５４】
Ｋ      キャップ
１      筒胴部
１ａ    溝部
２      フランジ部
３      摘み部
４      凹部
４ａ    外向テーパ面部
５      引っ掛け部
５ａ    後方傾斜面
５ｂ    前方傾斜面
１０    ベース部
１１    ガイド突部
１２    摘み部・フランジ部外型
１３ａ  摘み部内型
１３ｂ  筒胴部内型
１４    筒胴部外型
１５    突起状金型
１５ａ  内向テーパ面部
１６    湾曲凹部
２０    光アダプタ
２１    ラッチレバー片
２１ａ  爪部
３０    摘み部
３０ａ  矩形連結部
４０ａ  外向テーパ面部
５０    欠落部
【図１】
2019095498.tif 000003
【図２】
2019095498.tif 000004
【図３】
2019095498.tif 000005
【図４】
2019095498.tif 000006
【図５】
2019095498.tif 000007
【図６】
2019095498.tif 000008
【図７】
2019095498.tif 000009
【図８】
2019095498.tif 000010
【図９】
2019095498.tif 000011
【図１０】
2019095498.tif 000012
【図１１】
2019095498.tif 000013
【図１２】
2019095498.tif 000014
【図１３】
2019095498.tif 000015
【図１４】
2019095498.tif 000016
【図１５】
2019095498.tif 000017
【図１６】
2019095498.tif 000018
【図１７】
2019095498.tif 000019
【図１８】
2019095498.tif 000020
【図１９】
2019095498.tif 000021
【図２０】
2019095498.tif 000022
【図２１】
2019095498.tif 000023
【図２２】
2019095498.tif 000024
【図２３】
2019095498.tif 000025
【図２４】
2019095498.tif 000026
【図２５】
2019095498.tif 000027
【図２６】
2019095498.tif 000028
【図２７】
2019095498.tif 000029
【図２８】
2019095498.tif 000030
【図２９】
2019095498.tif 000031
【図３０】
2019095498.tif 000032
【図３１】
2019095498.tif 000033
【図３２】
2019095498.tif 000034
【図３３】
2019095498.tif 000035
【図３４】
2019095498.tif 000036
【図３５】
2019095498.tif 000037
【図３６】
2019095498.tif 000038
【図３７】
2019095498.tif 000039